(57)【特許請求の範囲】
【請求項１】
立食用容器であって、該容器は、
表面が凹状に形成された容器本体と、
前記容器本体の周縁部の一部に設けられ、容器本体の裏面側から親指及び人差指を、前記各指の先端が物をつかむことができる自由な状態で、その各指の根元部分まで通すことができる差込孔を有する保持部と、
を具備し、前記容器本体上に食べ物を載せた状態で更に他の物を前記親指と人差指で持つことができることを特徴とする立食用容器。
【請求項２】
請求項１に記載の容器において、前記容器本体の裏面には、手の甲の親指側の形状に合った凹部が設けられていることを特徴とする立食用容器。
【請求項３】
請求項１に記載の容器において、前記容器本体の裏面の少なくとも手の甲が接触する部分には、断熱材が設けられていることを特徴とする立食用容器。
【請求項４】
請求項１に記載の容器において、前記容器本体の周囲部で且つ保持部の両側には、箸押え部が設けられていることを特徴とする立食用容器。
【発明の詳細な説明】
【技術分野】
【０００１】
本発明は食事用の容器に関し、より詳しくは、パーティー、バーベキュー等の立食時の使用に適した取皿等の容器に関する。
【背景技術】
【０００２】
立食パーティーで使用する取皿として普通の皿を用いられることはよくあるが、滑り易く又長時間皿を持っていることはかなり負担であったと言える。また、普通の皿は、その上にコップ等を置くようにはなっていないため、一方の手に皿、他方の手にコップを持って、即ち両手がふさがった状態で会場内を移動しなければならないことがある。そのような不便を解消するために、例えば実開平４−６４２７６号公報（特許文献１）に記載のような、トレーの表面を料理置き凹部、コップ置き凹部、箸・フォーク置き部に区分すると共に、更に親指挿入用通孔を設けたものがある。このトレーによれば、親指挿入用通孔に親指を挿入してトレーを把持することにより、比較的安定してトレーを持つことが可能になる。また、トレー上にコップ置き部があるために、非常に機能的であると言える。しかしながら、この場合、トレーを持つ手の親指及びその他の指はすべてトレーを保持するために使用されるため、トレーを持つ手で更に他の物を持つこと、掴むことは不可能であった。
【特許文献１】実開平４−６４２７６号公報
【発明の開示】
【発明が解決しようとする課題】
【０００３】
本発明は、斯かる実情に鑑み、取皿を安定に持つことができると共に、取皿を持ったままの状態で更に他の物を持つことができる立食用容器を提供することを目的とする。
【課題を解決するための手段】
【０００４】
上述した本発明の目的を達成するために、本発明によれば、
立食用容器であって、該容器は、
表面が凹状に形成された容器本体と、
前記容器本体の周縁部の一部に設けられ、容器本体の裏面側から親指及び人差指を通すことができる差込孔を有する保持部と、
を具備することを特徴とする立食用容器が提供される。
【０００５】
上記の容器において、容器本体の裏面には、手の甲の親指側の形状に合った凹部が設けられていることが望ましい。
【０００６】
上記の容器において、容器本体の裏面の少なくとも手の甲が接触する部分には、断熱材が設けられることが望ましい。
【０００７】
上記の容器において、容器本体の周囲部で且つ保持部の両側には、箸押え部が設けられていることが望ましい。
【発明の効果】
【０００８】
本発明の立食用容器によれば、差込孔に親指及び人差指を通すと共に手の甲で容器の裏側を支持することにより容器を安定に保持することができる。
【０００９】
さらに、本発明の容器によれば、差込孔を通った親指及び人差指を含む、すべての指先は自由な状態であるため、容器を保持したまま、更に他の物例えばコップ等を持つことができる。コップを持った人は、その手の姿勢を、コップ内の液体がこぼれ出ないように無意識に調整するが、その調整はまた、容器内の食べ物が容器からこぼれ出ないように作用するのに寄与する。
【発明を実施するための最良の形態】
【００１０】
以下、本発明を実施するための最良の形態を図示例と共に説明する。図１〜図６は本発明を実施する形態の一例であって、図中、全図を通して、同一の符号を付した部分は同一物を表わしている。
【００１１】
図１において、参照番号１は容器本体を示し、上面は食べ物を入れるために凹状に形成されている。容器本体は、使用用途等により、陶磁器製、プラスチック製、木製、紙製、金属製などの何れであっても構わない。凹状部の表面には、図２に示すように、食べ物を仕切るための線状突起２が数本設けられる。この線状突起２は、容器本体１が例えば紙あるいは薄い金属箔で形成される場合には、容器本体１の強度を増すための機能として重要である。容器本体１の周縁部の一箇所は他の箇所に比べて若干引っ込むように形成され、そしてこの部分に、二つの指挿入孔３ａ，３ｂを有した保持部４が取り付けられる。指挿入孔３ａ，３ｂの間隔は、親指と人差指を無理なく挿入するのに都合の良い間隔である。また、左右どちらの手の親指及び人差指でも挿入できるように、指挿入孔３ａ，３ｂは同一の形状（直径）であることが望ましい。保持部４は、容器本体１と同一材料で一体的に形成されてもよく、または本体の材料とは別の他の材料で別部品として構成されても良い。容器本体１と保持部４が紙、薄い金属箔、薄いプラスチック等で一体的に構成される場合には、材料自体が若干の可撓性を持っているので、特に指が入る部分である保持部４の材料としては好都合である。容器本体１と保持部４が、陶磁器、木、厚い金属等で構成される場合には、可撓性を有する紙等で構成される場合に比べて、保持部４の指挿入孔３ａ，３ｂの間隔を若干狭くするなどして、指が入り易いように工夫することが好ましい。また、容器の保持部４に指を入れて使用するときには、図１のように保持部４は容器本体１の面に対して直角に近い角度となるが、容器を使用しないで重ねておくときには、容器本体１の面にほぼ等しい角度となっている方が重ね易いので、紙、薄い金属箔、薄いプラスチック等の可撓性を有する保持部４は、容器本体１に対して接続部５において折り曲げ可能な状態で取り付けられることが好ましい。
【００１２】
容器本体１の周囲部で、保持部４の両側部には、箸押さえ部８ａ，８ｂが設けられる。容器本体１が紙、プラスチック等で形成される場合には、材料自体に可撓性があることから特に都合が良い。図３に特に明確に示されている如く、利き手である右手を自由にしたいとき、または、コップを図示の如く持っている状態で、利き手である右手に持ち替えて飲む場合に、持ち替えに先立ち、利き手に持っていた箸を箸押え部８ａに引っ掛けておくことにより、箸の脱落を確実に防ぐことができる。
【００１３】
容器本体１の裏側で、保持部４が取り付けられる周辺部は、手の甲、特に親指及び人差指に近い部分の手の甲が接触する部分であるので、その手の甲の形状に合った凹部７が設けられる。この凹部７を設けることにより、容器本体１を一体感をもって安定して保持することができる。
【００１４】
更に、特に熱い食べ物又は特に冷たい食べ物を載せる場合を考慮して、容器本体１の裏面で、手の甲等、少なくとも皮膚に接触する部分には、熱伝導性の低い、発泡スチロール、紙、布などを貼着しておくことが好ましい。
【００１５】
図３は、上記構成の立食用容器を左手で保持し、更にその手でコップ１０を持っているときの上面図である。図４はそのときの正面図である。
【００１６】
図５は、保持部２０を容器本体２２に対して別部品として用意し、使用時に本体２１に取り付ける形式の実施例を示す。図５（ｂ）に示す通り、本実施例の保持部２０は、容器本体２２の裏面周囲部に取り付けられるリング状の取付輪２１と、親指及び人差指を通すための差込孔を構成するリング２３ａ，２３ｂ、及び止め具２４とで構成される。
【００１７】
本実施例では、容器本体２２として普通の皿を用いることもできるが、保持部２０の取付輪２１が容器本体２２に確実に取り付けられるためには、容器本体２２の裏側周囲部には、取付輪２１が嵌り込むための溝を有した、特別の容器を用意することが望ましい。
【００１８】
図５（ａ）は本実施例の立食用容器を使用して、且つ更にコップを持っている状態の上面図、図５（ｃ）はその側面図、及び図５（ｄ）は正面図である。
【００１９】
図６は、保持部を容器本体とは別部品で構成する更に別の実施例を示す。本実施例における保持部３０は、容器本体３１の裏側に吸着させるための吸盤３１ａ，３１ｂと、アーム部３２ａ，３２ｂと、アーム部先端に取り付けられた押え部３３ａ，３３ｂと、親指及び人差指を通すための差込孔３４ａ，３４ｂを有する指挿入部３４とからなる。押え部３３ａ，３３ｂの先端部は、容器本体３１の縁部から外れ難くするために、例えばゴム、又は樹脂性のキャップで被覆されることが好ましい。
【００２０】
本実施例では、容器本体３１として前実施例と同様に普通の皿を用いることができる。吸盤３１ａ，３１ｂが吸着し易いように、容器本体３１の裏面は平滑であることが要求される。使用に当たっては、保持具３０の押え部３３ａ，３３ｂとアーム部３２ａ，３２ｂで容器本体３１の周縁部を挟むような態様で、保持部３０が容器本体３１に取り付けられる。
【００２１】
図６（ａ）は本実施例の立食用容器を使用して、且つ更にコップを持っている状態の上面図、図６（ｃ）はその側面図、及び図６（ｄ）は正面図である。
【００２２】
次に、本発明による立食用容器の使用方法を説明する。図１乃至図４に示す第１実施例にあっては、親指及び人差指を、容器本体１の裏側方向から、保持部４の指挿入孔３ａ，３ｂにそれぞれ通し、容器本体１の裏面の凹部７が、図１及び図３に表わされているように、親指及び人差指の根元付近の手の甲に載るように持つ。このとき、親指及び人差指を含むすべての指先部分は自由な状態であるため、コップ１０等を更に持つことが可能である。コップ１０を手に持った状態では、人はごく自然に、そのコップ内の飲み物がこぼれないような姿勢を保とうとするので、それは同時に、容器本体１内の食べ物が容器からこぼれ出ない作用に寄与することになる。コップ１０を手に持った状態で、利き手の箸で容器本体１内の食べ物を食べることができる。また、利き手の箸を容器本体１上に載せてから、コップ１０を利き手（図示実施例の場合には右手）に持ち替えて飲むことも容易に行なえる。
【００２３】
図５に示す第２実施例、及び図６に示す第３実施例の使用方法も、特に説明するまでもなく第１実施例と同様である。
【００２４】
なお、本発明の立食用容器は、上述の図示例にのみ限定されるものではなく、本発明の要旨を逸脱しない範囲内において種々変更を加え得ることは勿論である。例えば、図６に示す実施例では吸盤が用いられているが、吸盤を用いず、容器本体３１を上下から挟むだけのアームとすることもできる。アームの容器本体と接触する部分を滑り難い仕上げとしておくことが好ましい。吸盤を用いない場合には、表面処理がなされていない皿、又は凹凸のある皿等の使用も可能である。また、吸盤の数は図示のように２個の限られず、１個でもまたは３個以上であっても構わない。
【００２５】
上記は、パーティー用立食容器として説明したが、屋外、例えばバーベキュー等の簡易使い捨て容器としても利用できることは言うまでもない。
【図面の簡単な説明】
【００２６】
【図１】図１は、本発明による立食用容器の使用時の側面図である。
【図２】図２は、本発明による立食用容器の平面図である。
【図３】図３は、本発明による立食用容器の使用時の上面図である。
【図４】図４は、本発明による立食用容器の使用時の書面図である。
【図５】図５は、本発明による立食用容器の第２実施例を示す図である。
【図６】図６は、本発明による立食用容器の第３実施例を示す図である。
【符号の説明】
【００２７】
１    容器本体
２    線状突起
３ａ，３ｂ    指挿入孔
４    保持部
５    接続部
７    凹部
８ａ，８ｂ    箸押え部
１０    コップ
２０    保持部
２１    取付輪
２２    容器本体
２３ａ，２３ｂ    リング
２４    止め具
３０    保持部
３１    容器本体
３１ａ，３１ｂ    吸盤
３２ａ，３２ｂ    アーム部
３３ａ，３３ｂ    押え部
３４ａ，３４ｂ    差込孔
３４    保持部
【図１】
0004838541.tif 000002
【図２】
0004838541.tif 000003
【図３】
0004838541.tif 000004
【図４】
0004838541.tif 000005
【図５】
0004838541.tif 000006
【図６】
0004838541.tif 000007